(57)【要約】【課題】陳列される場所に応じて柔軟に形態を変えることができ、物品を陳列可能な数や量を容易に変更可能な陳列部材を提供する。【解決手段】陳列部材１は、物品を保持可能な保持部を備えた本体部１０と、本体部１０の上端部に設けられた貫通孔１０ａと、上端部とは反対側である下端部に設けられ、貫通孔１０ａの形状が係合可能な形状に構成されたフック１３とを備える。貫通孔１０ａとフック１３とを係合させることにより、陳列部材１を上下方向に接続可能である。【選択図】図１
2020141786.tif 000002
【特許請求の範囲】
【請求項１】
物品を保持可能な保持部を備えた本体部と、
前記本体部の第１端部に設けられた第１係合部と、
前記第１端部とは反対側である第２端部に設けられ、前記第１係合部の形状が係合可能な形状に構成された第２係合部と、
を備える陳列部材。
【請求項２】
請求項１に記載の陳列部材において、
前記第１係合部は、前記本体部の上方に設けられた孔を有し、
前記第２係合部は、前記本体部の下方に設けられたフックを有すること、
を特徴とする陳列部材。
【請求項３】
請求項２に記載の陳列部材において、
前記フックは、前記本体部の背面側に突出して設けられていること、
を特徴とする陳列部材。
【請求項４】
請求項１から請求項３までのいずれかに記載の陳列部材において、
当該陳列部材を単体で自立可能とする脚部を備え、
前記脚部は、折り畳み可能に構成されていること、
を特徴とする陳列部材。
【請求項５】
請求項１から請求項４までのいずれかに記載の陳列部材において、
当該陳列部材は、前記第１係合部と前記第２係合部とを係合することにより複数が上下に連結されること、
を特徴とする陳列部材。
【請求項６】
請求項５に記載の陳列部材において、
当該陳列部材を複数上下に連結した状態において、最上部の前記第１係合部に吊り紐を取り付けることにより、前記吊り紐で吊るして設置が可能であること、
を特徴とする陳列部材。
【請求項７】
請求項１から請求項６までのいずれかに記載の陳列部材において、
前記本体部に着脱自在であって、訴求面を備えた補助部材を備えること、
を特徴とする陳列部材。
【請求項８】
請求項７に記載の陳列部材において、
前記補助部材は、当該陳列部材を左右に並べた状態で前記本体部に取り付けられることにより、複数の当該陳列部材を接続すること、
を特徴とする陳列部材。
【発明の詳細な説明】
【技術分野】
【０００１】
本発明は、商品等の各種物品を陳列する陳列部材に関するものである。
【背景技術】
【０００２】
店舗等において、商品等を陳列するための簡易的な陳列部材が各種用いられている。
例えば、特許文献１には、置き吊り兼用連結陳列棚が開示されている。
しかし、特許文献１に開示されている技術では、置いた状態であっても、吊った状態であっても、棚箱の数は変わらないので、商品等を陳列可能な数や量を変えることができなかった。
【先行技術文献】
【特許文献】
【０００３】
【特許文献１】特開平９−１４０５２１号公報
【発明の概要】
【発明が解決しようとする課題】
【０００４】
本発明の課題は、陳列される場所に応じて柔軟に形態を変えることができ、物品を陳列可能な数や量を容易に変更可能な陳列部材を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
【０００６】
第１の発明は、物品（Ｓ１、Ｓ２）を保持可能な保持部（１１、１２）を備えた本体部（１０）と、前記本体部（１０）の第１端部に設けられた第１係合部（１０ａ）と、前記第１端部とは反対側である第２端部に設けられ、前記第１係合部（１０ａ）の形状が係合可能な形状に構成された第２係合部（１３）と、を備える陳列部材（１）である。
【０００７】
第２の発明は、第１の発明に記載の陳列部材（１）において、前記第１係合部（１０ａ）は、前記本体部（１０）の上方に設けられた孔（１０ａ）を有し、前記第２係合部（１３）は、前記本体部（１０）の下方に設けられたフック（１３）を有すること、を特徴とする陳列部材（１）である。
【０００８】
第３の発明は、第２の発明に記載の陳列部材（１）において、前記フック（１３）は、前記本体部（１０）の背面側に突出して設けられていること、を特徴とする陳列部材（１）である。
【０００９】
第４の発明は、第１の発明から第３の発明までのいずれかに記載の陳列部材（１）において、当該陳列部材（１）を単体で自立可能とする脚部（１４）を備え、前記脚部（１４）は、折り畳み可能に構成されていること、を特徴とする陳列部材（１）である。
【００１０】
第５の発明は、第１の発明から第４の発明までのいずれかに記載の陳列部材（１）において、当該陳列部材（１）は、前記第１係合部（１０ａ）と前記第２係合部（１３）とを係合することにより複数が上下に連結されること、を特徴とする陳列部材（１）である。
【００１１】
第６の発明は、第５の発明に記載の陳列部材（１）において、当該陳列部材（１）を複数上下に連結した状態において、最上部の前記第１係合部（１０ａ）に吊り紐（１７）を取り付けることにより、前記吊り紐（１７）で吊るして設置が可能であること、を特徴とする陳列部材（１）である。
【００１２】
第７の発明は、第１の発明から第６の発明までのいずれかに記載の陳列部材（１）において、前記本体部（１０）に着脱自在であって、訴求面吊り紐（１６ｃ、１８ｃ）を備えた補助部材（１６、１８）を備えること、を特徴とする陳列部材（１）である。
【００１３】
第８の発明は、第７の発明に記載の陳列部材（１）において、前記補助部材（１８）は、当該陳列部材（１）を左右に並べた状態で前記本体部（１０）に取り付けられることにより、複数の当該陳列部材（１）を接続すること、を特徴とする陳列部材（１）である。
【発明の効果】
【００１４】
本発明によれば、陳列される場所に応じて柔軟に形態を変えることができ、物品を陳列可能な数や量を容易に変更可能な陳列部材を提供することができる。
【図面の簡単な説明】
【００１５】
【図１】本発明による陳列部材１の実施形態を平面上に置いた状態を示す斜視図である。
【図２】図１の陳列部材１に商品Ｓ１及び商品サンプルＳ２を保持させた状態を示す斜視図である。
【図３】陳列部材１を平面上に置いた状態を背面側から示す斜視図である。
【図４】脚部１４を折り畳んだ状態で陳列部材１を背面側から見た斜視図である。
【図５】脚部１４を折り畳んだ状態で陳列部材１を側面から見た図である。
【図６】脚部１４を展開した状態で陳列部材１を側面から見た図である。
【図７】補助部材１６を説明する図である。
【図８】陳列部材１を吊り紐１７によって吊り下げた状態を示す図である。
【図９】図８の陳列部材１を吊り下げ状態を側面から見た図である。
【図１０】陳列部材１を上下方向に３つ繋げて吊り下げた状態を示す図である。
【図１１】陳列部材１の接続部位を側面から拡大して見た図である。
【図１２】陳列部材１の接続部位を背面から拡大して見た図である。
【図１３】補助部材１８を説明する図である。
【図１４】補助部材１８を用いて２つの陳列部材を繋げて平面上に置いた状態を示す図である。
【発明を実施するための形態】
【００１６】
以下、本発明を実施するための最良の形態について図面等を参照して説明する。
【００１７】
（実施形態）
図１は、本発明による陳列部材１の実施形態を平面上に置いた状態を示す斜視図である。
図２は、図１の陳列部材１に商品Ｓ１及び商品サンプルＳ２を保持させた状態を示す斜視図である。
図３は、陳列部材１を平面上に置いた状態を背面側から示す斜視図である。
なお、図１から図３を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
なお、以下の説明において、図１で手前側に見えている側を前面とし、その裏側を背面とし、上下左右は、図１中における上下左右を指すものとして説明する。
【００１８】
陳列部材１は、例えば、商品Ｓ１や商品サンプルＳ２等の物品を保持した状態で、店頭等に置いたり吊るしたりして、販売促進用に主に用いられる。したがって、陳列部材１には、商品名や商品の説明等が印刷等されて表示されることが多いが、これらの表示については、図示を省略する。
【００１９】
陳列部材１は、本体部１０と、保持部１１、１２と、フック１３と、脚部１４と、補助部材取付部１５と、を備えている。
【００２０】
本体部１０は、適度な剛性を備えた、例えば、厚手の紙や樹脂シート、樹脂板等により構成されている。本実施形態では、本体部１０は、長方形形状の平板状に構成されている。なお、本体部は、平板に限らず、例えば曲面を備えていてもよいし、折り曲げられて凹凸形状等が設けられていてもよい。
また、本体部１０の上端部（第１端部）には、貫通孔（第１係合部）１０ａが左右２カ所に設けられている。
【００２１】
保持部１１は、本体部１０の前面側に設けられている。保持部１１には、図２に示すように、商品Ｓ１を上方の開口部から挿入することにより複数（図の例では、４個）保持することができ、最下段の商品が斜めに僅かに飛び出した状態となって、取り出しやすくなっている。
保持部１２は、本体部１０の前面側であって、かつ、保持部１１の右隣りに配置されている。保持部１２には、図２に示すように商品サンプルＳ２を上方から挿入することにより、縦に保持することができる。
本実施形態では、保持部１１及び保持部１２は、本体部１０よりも薄手の樹脂シートと紙とを組み合わせて構成されている。
【００２２】
フック（第２係合部）１３は、本体部１０の下端部（第２端部）であって、貫通孔（第１係合部）１０ａと対応する位置に２か所、背面側に突出して設けられている（後述の図５参照）。このフック１３には、陳列部材１を複数用意した場合に、他の陳列部材１に設けられている貫通孔１０ａが係合可能である。
【００２３】
図４は、脚部１４を折り畳んだ状態で陳列部材１を背面側から見た斜視図である。
図５は、脚部１４を折り畳んだ状態で陳列部材１を側面から見た図である。
図６は、脚部１４を展開した状態で陳列部材１を側面から見た図である。
脚部１４は、本体部１０と同様な厚手の素材により構成されており、脚本体部１４ａと、弾性変形部１４ｂと、係止孔１４ｃと、係止片１４ｄと、貼り付け部１４ｅとを備えている。
【００２４】
脚本体部１４ａは、貼り付け部１４ｅの上端で下方へ折り返されて延在して設けられている。
弾性変形部１４ｂは、上方が脚本体部１４ａと繋がっており、全体の形状は、係止孔１４ｃの孔形状と同一形状の外形形状に形成されている。
【００２５】
係止孔１４ｃは、脚本体部１４ａの一部を切断して弾性変形部１４ｂを移動させて残る孔形状であって、係止片１４ｄの係止形状が嵌まることができる形状に開口している。なお、係止孔１４ｃは、弾性変形部１４ｂの存在によって、完全に開口しているのではなく、下方側だけが孔形状になっている。係止孔１４ｃの孔形状は、下端において幅が狭く構成されており、係止片１４ｄの凹形状が嵌まるように構成されている。
【００２６】
係止片１４ｄは、貼り付け部１４ｅの下端で上方へ折り返されて延在して設けられている。係止片１４ｄは、先端の両側に凹形状（首部）が設けられており、この凹形状が係止片１４ｄの幅が狭くなっている部分に係合することにより、脚本体部１４ａが折り畳まれることを阻止して、脚部１４の展開状態を維持する。また、係止片１４ｄは、弾性変形部１４ｂの弾性変形によって弾性変形部１４ｂから付勢力を受けており、この付勢力によって、凹形状が係止片１４ｄの幅が狭くなっている部分に係合した状態が維持される。
貼り付け部１４ｅは、本体部１０の背面に張り付けられている。
【００２７】
脚部１４を展開状態から折り畳み状態とするときには、弾性変形部１４ｂを前方へ押圧しながら係止片１４ｄと係止孔１４ｃとの係合を解除することにより折り畳み状態とすることができる。
【００２８】
図７は、補助部材１６を説明する図である。
補助部材取付部１５は、本体部１０の上端の背面に張り付けられており、補助部材１６の挿入部１６ａが挿入可能なスリットを構成している。
補助部材１６は、挿入部１６ａと、切り欠き部１６ｂと、訴求面１６ｃとを備えており、例えば、本体部１０より薄手の紙や樹脂シート等により構成されている。本実施形態の補助部材１６は、横幅を本体部１０の横幅と同等としているが、この幅は、本体部１０の横幅より狭くてもよいし、広くてもよく、適宜変更可能である。
挿入部１６ａは、補助部材取付部１５により構成されたスリットに挿入可能なように下方へ延在している。挿入部１６ａが補助部材取付部１５により構成されたスリットに挿入されることにより、補助部材１６は、着脱自在な状態で本体部１０の上方に取り付けられる。
【００２９】
切り欠き部１６ｂは、後述する吊り紐１７によって陳列部材１が吊り下げられる場合に、吊り紐１７を背面側に通すことができるように吊り紐１７が通るための形状である（図８参照）。
【００３０】
訴求面１６ｃは、例えば、商品名や商品説明等を印刷表示することができる比較的大きな面積を備えた領域である。
【００３１】
図８は、陳列部材１を吊り紐１７によって吊り下げた状態を示す図である。
図８に示すように、陳列部材１は、吊り紐１７を取り付けることにより、吊り下げた状態で使用することができる。なお、この場合、脚部１４は、折り畳んだ状態とする。
図８では、補助部材１６を取り付けた状態としているが、補助部材１６を取り付けない状態で、陳列部材１を吊り紐１７によって吊り下げることもできる。また、先に示した図１では、補助部材１６を取り付けていない状態で陳列部材１を平面上に置いた状態を示したが、補助部材１６を取り付けた状態で陳列部材１を平面上に置いてもよい。
【００３２】
図９は、図８の陳列部材１を吊り下げ状態を側面から見た図である。
フック１３が背面側に突出していることにより、壁面へ陳列部材１を吊り下げた場合に、フック１３が壁面に当接できる。図９に示すように、吊り紐１７は、壁面から少し前方に離れた位置に吊り支点が設けられる場合がある。このような場合に、商品等を保持部１１、１２等に置くと、商品等の重みで重心が前方に偏り、これによって本体部１０の前面が斜めになって下方を向く状態となってしまう。本体部１０の前面が下方を向くと、顧客からは、見え辛くなってしまい、好ましくない。しかし、本実施形態の陳列部材１は、フック１３が壁面に当接するので、本体部１０の傾きを防止でき、本体部１０の前面及び商品等を見やすく陳列できる。
【００３３】
図１０は、陳列部材１を上下方向に３つ繋げて吊り下げた状態を示す図である。
図１１は、陳列部材１の接続部位を側面から拡大して見た図である。
図１２は、陳列部材１の接続部位を背面から拡大して見た図である。
図１０から図１２に示すように、貫通孔（第１係合部）１０ａとフック（第２係合部）１３とを係合させることによって、陳列部材１は、上下方向に繋げて利用することができる。なお、図１０では、３つの陳列部材１を繋げている例を示したが、上下に繋げる数は、２つでもよいし、４つ以上であってもよい。
【００３４】
図１３は、補助部材１８を説明する図である。
図１４は、補助部材１８を用いて２つの陳列部材を繋げて平面上に置いた状態を示す図である。
補助部材１８は、先に説明した補助部材１６を２つ横に繋げたような大きさと形状となっている。補助部材１８は、挿入部１８ａと、訴求面１８ｃとを有している。
挿入部１８ａは、左右に２箇所並んで設けられている。この２箇所の挿入部１８ａは、陳列部材１を２つ並べたときに補助部材取付部１５によって構成されているスリットのそれぞれに挿入可能な間隔で設けられている。なお、補助部材１８には、先に説明した補助部材１６に設けられていた切り欠き部１６ｂに相当する切り欠きは不要である。
挿入部１８ａを２つ並べた陳列部材１のそれぞれのスリットに挿入することにより、図１４に示したように、２つの陳列部材１を横方向に繋げて置くことができる。なお、必要に応じて、挿入部１８ａに接着剤を塗布したり、背面に粘着テープを張り付けたりする等して、接続をより強固にしてもよい。
また、補助部材１８の中央に折り曲げ線を設けて、半分に折り曲げることが可能に構成してもよい。この場合、半分に折り曲げれば、１つの陳列部材１に取り付ける用途にも、２つの陳列部材１を繋げる用途にも利用することができる。
【００３５】
以上説明したように、本実施形態の陳列部材１は、貫通孔（第１係合部）１０ａとフック（第２係合部）１３とを備えているので、必要に応じて上下方向に繋げて商品等の陳列可能な数（量）を増やすことができる。
また、本実施形態の陳列部材１は、折り畳み可能な脚部１４を備えているので、平面上に置いて使用することもできる。
さらに、本実施形態の陳列部材１は、補助部材１８を用いることにより左右に繋げて、これを平面上に置いて使用することもできる。
よって、本実施形態の陳列部材１は、陳列される場所に応じて柔軟に形態を変えることができ、物品を陳列可能な数や量を容易に変更可能である。
（変形形態）
以上説明した実施形態に限定されることなく、種々の変形や変更が可能であって、それらも本発明の範囲内である。
【００３６】
（１）実施形態において、貫通孔（第１係合部）１０ａとフック（第２係合部）１３とを係合させることによって、陳列部材１は、上下方向に繋げることができる例を挙げて説明した。これに限らず、例えば、第１係合部と第２係合部の構成は、公知の係合技術を適宜用いて構成することができる。例えば、フックに相当する構成は、本体部１０の一部を折り返すことにより構成してもよい。また、面ファスナーを用いてもよいし、別途留め具等を利用して係合させるようにしてもよい。
【００３７】
（２）実施形態において、店舗等において商品を陳列する陳列部材を例に挙げて説明した。これに限らず、例えば、個人宅内で趣味の物品等を陳列する用途に利用する陳列部材であってもよい。
【００３８】
（３）実施形態において、補助部材１８は、陳列部材１を２つ繋げる例を挙げて説明した。これに限らず、例えば、陳列部材１を３つ以上繋げることができる補助部材を設けてもよい。
【００３９】
（４）実施形態において、保持部１１及び保持部１２の構成は、一例を示したにすぎず、保持する物品の形態に合わせて適宜変更可能である。例えば、保持部は、単純な棚形状に構成してもよいし、多数のフックを設けてこのフックに物品を吊るすようにしてもよい。
【００４０】
（５）実施形態において、補助部材１８は、陳列部材１の上方において、陳列部材１を繋げる例を挙げて説明した。これに限らず、例えば、陳列部材１の下方に補助部材を取り付けて陳列部材１を左右方向に接続する構成としてもよい。この場合、訴求面は、陳列部材１を置く平面に平行に配置することができる。
【００４１】
なお、各実施形態及び変形形態は、適宜組み合わせて用いることもできるが、詳細な説明は省略する。また、本発明は以上説明した各実施形態によって限定されることはない。
【符号の説明】
【００４２】
１      陳列部材
１０    本体部
１０ａ  貫通孔（第１係合部）
１１    保持部
１２    保持部
１３    フック（第２係合部）
１４    脚部
１４ａ  脚本体部
１４ｂ  弾性変形部
１４ｃ  係止孔
１４ｄ  係止片
１４ｅ  貼り付け部
１５    補助部材取付部
１６    補助部材
１６ａ  挿入部
１６ｂ  切り欠き部
１６ｃ  訴求面
１７    吊り紐
１８    補助部材
１８ａ  挿入部
１８ｃ  訴求面
Ｓ１    商品（物品）
Ｓ２    商品サンプル（物品）
【図１】
2020141786.tif 000003
【図２】
2020141786.tif 000004
【図３】
2020141786.tif 000005
【図４】
2020141786.tif 000006
【図５】
2020141786.tif 000007
【図６】
2020141786.tif 000008
【図７】
2020141786.tif 000009
【図８】
2020141786.tif 000010
【図９】
2020141786.tif 000011
【図１０】
2020141786.tif 000012
【図１１】
2020141786.tif 000013
【図１２】
2020141786.tif 000014
【図１３】
2020141786.tif 000015
【図１４】
2020141786.tif 000016